(57)【要約】【課題】１つの物質だけを利用することにより、多機能性を提供されるだけでなく、製造過程においても他の物質を使用するといった煩わしさのない物質を提供する。【解決手段】本発明は遠赤外線とマイナスイオンを放出する火山石から硅酸塩、カルシュム,カリュウム、マグネシュウム、ナトリュウム、及び鉄等多数の成分が多量含有された濃い茶褐色の塊を６００〜１０００meshのパウダーに粉砕された火山石８５%ケルマリュム５％麦飯石５％マイナスイオンパウダー５％これらが混合された物を摂氏1600℃内外で焼成したものをアルパリュウムとする。このアルパルウムを微細に粉砕しパウダーにした後、接着剤を利用し重ね塗られた布；上記の布が片面もしくは両面に付着したく皮革等これらの構成の特徴を利用することにより血液の浄化作用、細胞の活性化、免疫力の増加、自律神経の調整、6+抗菌防臭、新陳代謝促進及びストレス解消などの効果を得ることが出来る。【選択図】図２
2007215805.tif 000002
【特許請求の範囲】
【請求項１】
遠赤外線とマイナスイオンを放出する鉱物質が固着塗布された機能性皮革において布（３０）の片面又は両面に所定量のボンド（２０）を付けて木魚石から抜粋された硅酸塩、カルシュウム、カリュウム、マグネシュウム、ナトリュウム、鉄等の成分が多量含有された木魚石８５％、麦飯石５％、マイナスイオンパウダー５％、茶色粒アルバリュウム600〜1000meshパウダー（１０）に粉砕され上記ボンド（２０）表面に吹き付け方式で塗布された布（３２）；及び貼り付けられた上記ボンド（２０）により上記塗布された布（３２）が片面又は両面に付着された皮革（４４，５０）；を含み構成された物を特微とし遠赤外線マイナスイオン放射物質を利用した機能性皮革
【請求項２】
第１項において上記パウダー（１０）とボンド（２０）が５０：５０もしくは７０：３０比率で混合され後上記布（３０）に塗布された事を特長とする遠赤外線とマイナスイオン放射物質を利用した機能性皮革。
【請求項３】
第1項又は第2項において、上記パウダー（１０）とボンド（２０）の混合物が上記の布（３０）に塗布されるとき８０〜１００℃に過熱されることを特徴とする遠赤外線とマイナスイオン放射物質を利用した機能性物質。
【請求項４】
第1項において、上記布（３０）は、５０〜６０wt％のパウダー（１０）と3日間ないし4日間精製された40〜50wt％のうわずみ液の混合物に漬かって塗布されることを特徴とする遠赤外線とマイナスイオン放射物質を利用した機能性皮革。
【請求項５】
第1項において、上記パウダー（１０）は染色液に混合され上記布（３０）に塗付される事を特徴とする遠赤外線とマイナスイオン放射物質を利用した機能性物質。
【請求項６】
第1項又は第4項の中どちらかに従って塗布された布（３２）を利用した第二２皮革（４４）に革ベルトに使用することを特徴とする遠赤外線とマイナスイオン放射物質を利用した機能性物質。
【請求項７】
第1項又は第5項の中どちらかに従って塗布された布（３２）と染色布（３４）を利用した靴の中敷（５０）に使用することを特徴とする遠赤外線とマイナスイオン放射物質を利用した機能性物質。
【発明の詳細な説明】
【技術分野】
【０００１】
本発明は遠赤外線とマイナスイオンの放射物質に関するものである。
【背景技術】
【０００２】
一般的に、健康を気にする現代社会に合わせ現代科学により遠赤外線とマイナスイオンの効能が証明された多くの物質が利用されているし、このような成分等を利用すべく自然界から存在しているマイナスイオン放射物質としては、トルマリンを、そして遠赤外線を放出する物質としては、炭、玉、ゲルマニュウム等を利用した色々な物が多数開発され商品化されている。
【０００３】
しかし、上記のような物質たちはどの特定成分だけで限定されていてその成分に対する効果しか得ることが出来ず、他の効果を得るには違った成分の物質を複数使用しなくてならないといった煩わしさが有った。
【発明の開示】
【発明が解決しようとする課題】
【０００４】
解決しようとする問題点は、１つの物質だけを利用することにより、多機能性を提供されるだけでなく、製造過程においても他の物質を使用するといった煩わしさのない物質を提供する点にある。故に上記のように問題点を解決するための本発明の目的は遠赤外線とマイナスイオンを放出する機能性鉱物質を微細に粉砕してパウダー状にし接着剤を利用して布に塗布して、その布を皮革の片面または両面に固着させ、それを利用するとき血液の浄化作用、細胞の活性化、免疫力の増加、自律神経の調整、抗菌防臭、新陳代謝促進及びストレス解消などの効果を得ることのできる遠赤外線とマイナスイオン放射物質を利用した機能性皮革を提供することが出来る。
【課題を解決するための手段】
【０００５】
上記課題を、遠赤外線とマイナスイオンを放出する鉱物質が固着塗布された機能性皮革において布（３０）の片面又は両面に所定量のボンド（２０）を付けて木魚石から抜粋された硅酸塩、カルシュウム、カリュウム、マグネシュウム、ナトリュウム、鉄等の成分が多量含有された木魚石８５％、麦飯石５％、マイナスイオンパウダー５％、茶色粒アルバリュウム600〜1000meshパウダー（１０）に粉砕され上記ボンド（２０）表面に吹き付ける方式で塗布された布（３２）；及び貼り付けられた上記ボンド（２０）により上記塗布された布（３２）が片面又は両面に付着された第２皮革（４４）中敷（５０）；を含み構成された物を特微とし遠赤外線マイナスイオン放射物質を利用した機能性皮革とした（第１項）。本発明において、遠赤外線とマイナスイオンを放出する火山石から硅酸塩、カルシュム,カリュウム、マグネシュウム、ナトリュウム、及び鉄等多数の成分が多量含有された濃い茶褐色の塊を６００〜１０００meshのパウダーに粉砕された火山石８５%ケルマリュム５％麦飯石５％マイナスイオンパウダー５％これらが混合された物を摂氏1600℃内外で焼成したものをアルパリュウムと称す。
【０００６】
第１項において上記パウダー（１０）とボンド（２０）が５０：５０もしくは７０：３０比率で混合され後上記布（３０）に塗布された事を特長とする遠赤外線とマイナスイオン放射物質を利用した機能性皮革とした（第２項）。
【０００７】
第1項又は第2項において、上記パウダー（１０）とボンド（２０）の混合物が上記布（３０）に塗布されるとき８０〜１００℃に過熱されることを特徴とする遠赤外線とマイナスイオン放射物質を利用した機能性物質とした（第３項）。
【０００８】
第1項において、上記布（３０）は、５０〜６０wt％のパウダー（１０）と3日間ないし4日間精製された40〜50wt％のうわずみ液の混合物に漬かって塗布されることを特徴とする遠赤外線とマイナスイオン放射物質を利用した機能性皮革とした（第４項）。
【０００９】
第1項において、上記パウダー（１０）は染色液に混合され上記布（３０）に塗付される事を特徴とする遠赤外線とマイナスイオン放射物質を利用した機能性物質とした（第５項）。
【００１０】
第1項又は第4項の中どちらかに従って塗布された布（３２）を利用した比較（４４）に革ベルトに使用することを特徴とする遠赤外線とマイナスイオン放射物質を利用した機能性物質とした（第６項）。
【００１１】
第1項又は第5項の中どちらかに従って塗布された布（３２）と染色布（３４）を利用して靴の中敷（５０）に使用することを特徴とする遠赤外線とマイナスイオン放射物質を利用した機能性物質とした（第７項）。
【発明の効果】
【００１２】
上記の用に本発明に伴った遠赤外線とマイナスイオン放射物質を利用機能性皮革を使用すると体の抵抗力及び免疫力増加と自律神経を最適な条件に調整し、現代生活病の一つで有るストレス解消効果だけでは無くそれを革ベルトに適用した場合にパウダーに放出された遠赤外線とマイナスイオンにより腰痛を緩和し、丹田に力がわき、丹田をつねに暖かい状態にする効果を得る事ができる。
又、上記のパウダーを利用した靴中敷を使用した場合、抗菌防臭、汗の臭いの除去、足の疲労解消及び新陳代謝を円滑にしてくれる効果を得る事が出来る。
【発明を実施するための最良の形態】
【００１３】
上記の目的を達成するための本発明に伴う、遠赤外線とマイナスイオン放射物質を利用した機能性皮革は、遠赤外線とマイナスイオンを放出する鉱物質が固着塗布された多機能性皮革において、布（３０）の片面又は両面に所定量のボンド（２０）を付けて、アルパリュウムから抜粋された珪酸塩、カルシュウム、カリュウム、マグネシュウム、ナトリュウム、鉄等多数の成分が多量含有された濃い茶褐色の塊アルパリュウムを６００〜１０００meshのパウダー（１０）に粉砕し上記ボンド（２０）と合わせ重ね塗る方式で塗布された布（３２）及び上記ボンドにより上記塗布された布（３２）が片面又は両面付着した皮革（４０，５０）で成り立ちます。
以下、本発明に因る遠赤外線とマイナスイオン放射物質を利用した機能性皮革に対する実施例を添付した図面を参照して説明する
【実施例１】
【００１４】
図1は本発明に因る遠赤外線とマイナスイオン放射物質を利用した機能性皮革の構成を表す概略図であるし、図2は本発明に因る遠赤外線とマイナスイオン放射物質を利用した機能性皮革の一実施例を表した断面図であるし、図3は本発明に因る遠赤外線とマイナスイオン放射物質を利用した機能性皮革に因る実施例を表した概略であるし、図4は本発明に因る遠赤外線とマイナスイオン放射物質を利用した別の実施例を表した概略図である。
【００１５】
参考に、本発明を説明するにことにおいて関連する公知機能又は構成に対する具体的な説明が本発明の要旨を不必要に汚すと判断できる場合にはその詳細な説明を省略した。さらに後述する用語は本発明においての機能を考慮して定義された用語でこれは使用者の意図又は恒例等に寄って変わることも有る。ですから、この定義は本明細書全般に至る内容を土台に理解されなくてはならない。
図1に示したように、本発明に因る遠赤外線とマイナスイオン放射物質を利用した機能性皮革は火山石のパウダー（１０）、ボンド（20）、布（３０）、及び皮革（40）で構成される。
【００１６】
上記火山石は韓国慶尚南道カヤ山周辺に在る約5億5千年前から存在してきた鉱物質で、普通茶褐色の色をしている。そして、上記火山石は、珪酸塩、カルシュウム、カリュウム、マグネシュウム、ナトリュウム、鉄等の多様な成分を含有していて人体に大変有用な鉱物として有名である。
【００１７】
本発明では上記火山石の中で、特に遠赤外線とマイナスイオンを多量に放出する成分である珪酸塩、カルシュウム、カリュウム、マグネシュウム、ナトリュウム、および鉄等が含有された濃い茶褐色の部分だけを抜粋して利用した。そして、抜粋された濃い茶褐色の火山石は振動粉砕機によって６００〜１０００meshのパウダー（10）に粉砕された。
【００１８】
こうして粉砕されたパウダー（10）はボンド（20）と混合されて布（30）を塗布されるがこのとき上記パウダー（10）とボンド（20）の比率は50：50又は70：30が良好である。上記パウダー（10）の含有量を50％又は7０％に限定した理由は、
パウダー（10）の含有量が50％以下に成るとパウダー（10）が持っている遠赤外線とマイナスイオン放出効果が少なく、その含有量が70％以上ではパウダー（10）を接着させるボンド（20）の量が少なく含有して十分にパウダー（10）同士が接着し難くするだけではなくパウダー（10）を布に塗布し難くします。
又、上記ボンド（20）を、50パーセント〜70パーセントに含有した理由は上記パウダー（10）の効果とパウダー（10）同士又はパウダー（10）と布（30）同士に十分な接着力を提供するためである。
【００１９】
上記、パウダー（10）がボンド（20）により布に塗布する方法では、まず布（30）の片面又は両面にボンド（20）をつけて、その後に上記ボンド（20）の表面にパウダー（10）を散布する方式で塗布する。
そして、上記ボンド（20）を利用してパウダー（10）を布（30）に塗布する他の方法においては、上記比率で混合したパウダー（10）とボンド（20）の混合物を80℃〜100℃に加熱して布（30）に塗布する方法を利用することが出来る。
上記の、加熱方式を通じてはボンド（20）によるパウダー（10）同士の結合力とパウダー（10）と布（30）の結合力がさらに強化できる。
上記パウダー（10）と布（30）に塗布する別な方法としては布（30）を染色する染色液にパウダー（10）を混合した後、染色時に戦勝苦役と一緒に布（30）を塗布する方式を利用することが出来る。
【００２０】
又、上記布（30）をパウダー（10）を利用して塗布する別の方法では、50〜60wt％のパウダー（10）と3日又は４日間精製された５０〜４０wt％のうわずみ液の混合物を製造して、上記混合物が布（30）に十分に吸収されるまで布（30）を混合物に付けておいて塗布する方法を利用する。
ここで、上記パウダー（１０）を50〜60wt％に、そしてうわずみ液を50〜40wt％に限定した理由は上記布（30）を混合物に浸して塗布するとき最適な条件の混合物を製造するためである。上記のボンド（20）によりアルパリュウムのパウダー（10）で塗布された布（3２）は上記の接着作用を継続維持しているボンド（20）により、そうでなければ違う種類の接着剤を通じて人造皮革と天然皮革（４０）の片面又は両面に付着する。
【００２１】
上記のようにパウダー（１０）で塗布された布（32）を利用した図2の革ベルトと図3及び図4の靴中敷の実施例を詳しく見ると次のようである。
一般的に、上記革ベルトの上部と下部で構成された外部には天然皮で出来ている
第1皮革（４２）が具備され上記第1皮革（４２）の内部にはポリウレタンと同質の材質の第2比較（42）が具備されている。
【００２２】
よって、上記のような第1皮革（42）及び第2皮革（44）により構成された革ベルトに機能性を付与するために本発明を通じて開示されたように上記のアルパリュウムパウ（１０）で塗布された布（３２）を第2皮革の片面又は両面に付着する。
【００２３】
図２に図示されたように、上記塗布された布（３２）が付着した革ベルトの猫成を詳しく見て見ると、その内部にポリウレタンの用な合成皮革の第２皮革（４４）が置かれ、詳記第２皮革（４４）の片面にパウダー（１０）で塗布された布（３２）が付着され、詳記塗布された布（３２）が付着した第２皮革（４４）の両面である上部と下部の外部には天然又は合成皮革の第1皮革（４２）でおおいかぶされる。
よって、人体に置いて最も重要な部分の一つで有る腰を支持してくれるベルトに上記の用な機性を付与するアルパリュウムベルト（１０）を利用すれば、そのパウダー
（１０）に放出される遠赤外線とマイナスイオンにより腰痛の緩和、丹田に力が産れ丹田を温かい状態にする。
上記機能性皮革を使用すると人体の抵抗力及び免疫力増加、自律神経を最適な条件に調節し現代生活で慢性的発生するストレス解消に有効です。
【００２４】
図３ではパウダー（１０）で塗布された布（３２）を利用した他の実施例のの中敷を調べると、通常の布（３０）で被われた合成樹脂材の中敷（５０）に別の塗布された布（３２）を付着する。
だから、上記の布（３０）と中敷（５０）間に塗布された布（３２）を付着して靴の中敷とて機能性を付与する。
【００２５】
図４に図示されたように、パウダー（１０）を靴の中敷に塗布して利用する為に又違う実施例を見ると、通常中敷（５０）の表面に付着された布（３０）が多用な色彩で染色されて、上記の布（３０）を染色する時に染色液に多量のパウダー（１０）を混合して染色液を通してパウダー（１０）が布（３０）に塗布される用にした。
ゆえに、上記中敷（５０）表面に付着した染色布（３４）により靴中敷が多用な機能性を付与する用にした。
すなわち、アルパリュウムパウダー（１０）で塗布された布（３２）又はパウダー
（１０）が混合された染色液により染色された布（３４）が付着された靴の中敷を利用したら、抗菌防臭、汗の臭い除去、足の疲労解消及び新陳代謝の円滑にする効果がある。
【００２６】
以上のように本発明の実施例に対して図示して説明したが、本発明は詳記な実施例に限定されず、特許請求範囲において請求された本発明の要旨を免れる事無く当該本発明が属する技術分野で通常の知識を持った者で有れば誰でも変形実施が可能で有るしこれと似た変形は記載された請求範囲の中に有る。
【図面の簡単な説明】
【００２７】
【図１】本発明に因る遠赤外線とマイナスイオン放射物質を利用した機能性皮革の構成を示した略図。
【図２】本発明に因る遠赤外線とマイナスイオン放射物質を利用した機能性皮革の実施例を表す断面図。
【図３】本発明に因る遠赤外線とマイナスイオン放射物質を利用した機能性皮革の違う実施例を表す略図。
【図４】本発明に因る遠赤外線とマイナスイオン放射物資を利用した機能性皮革のまた違う実施例を表す略図
【符号の説明】
【００２８】
１０パウダー
２０ボンド
３０布
３２塗布された布
３４染色布
４０皮革
４２第１皮革
４４第２皮革
５０中敷
【図１】
2007215805.tif 000003
【図２】
2007215805.tif 000004
【図３】
2007215805.tif 000005
【図４】
2007215805.tif 000006